(57)【要約】【課題】特定低周波数を人体にできるだけ正確に伝達する。【解決手段】電気信号を発生する電気信号発生装置と、電気信号発生装置からの電気信号を増幅させる増幅器と、増幅器から送信される電気信号を機械的な振動に変換する振動発生装置と、振動発生装置の振動発生部が直接連結され、かつ人体が接触する座面部２ａ及び座面部２ａに連続する側面部２ｂを有する金属製の振動部材２と、座面部２ａの裏側に配置され、振動発生装置を覆うと共に、載置面に載置されて振動エネルギーを載置面に伝達するのを抑制するように座面部２ａを載置面から浮かせた状態に支持する座面支持部材４とを設け、座面部２ａに触れた人体から振動が伝達されるようにする。【選択図】図１
2020043393.tif 000002
【特許請求の範囲】
【請求項１】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体が接触する座面部及び該座面部に連続する側面部を有する金属製の振動部材と、
上記座面部の裏側に配置され、上記振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成されている
ことを特徴とする体感振動装置。
【請求項２】
請求項１に記載の体感振動装置において、
上記振動部材は、金属板で構成され、
上記座面支持部材は、クッション材で構成され、上記振動発生装置を収容する収容凹部が形成され、
上記クッション材は、上記振動部材の側面部によって側面の少なくとも一部が覆われると共に、上記載置面側の全周は、露出している
ことを特徴とする体感振動装置。
【請求項３】
請求項２に記載の体感振動装置において、
上記クッション材は、上記振動部材に上記側面の少なくとも一部が圧縮された状態で挿入されている
ことを特徴とする体感振動装置。
【請求項４】
請求項１から３のいずれか１つに記載の体感振動装置において、
上記電気信号発生装置から言語周波数をもとにした疎密波よりなる特定低周波数が発信されるように構成されている
ことを特徴とする体感振動装置。
【請求項５】
請求項１から４のいずれか１つに記載の体感振動装置において、
上記振動部材は、矩形状の座面部を有し、複数の上記体感振動装置を並べ、それぞれに設けられた上記体感振動装置に上記電気信号を送信するように構成されている
ことを特徴とする体感振動装置。
【請求項６】
請求項１から５のいずれか１つに記載の体感振動装置を使用する方法において、
上記座面部に座った状態で、尾てい骨から骨振動を全身に伝達させる
ことを特徴とする体感振動装置の使用方法。
【請求項７】
請求項１から５のいずれか１つに記載の体感振動装置を使用する方法において、
上記体感振動装置を作動させた状態で、該体感振動装置から所定距離離れた位置に載置した対象物を眺める
ことを特徴とする体感振動装置の使用方法。
【請求項８】
請求項４に記載の体感振動装置を使用する方法において、
上記増幅器において、上記電気信号発生装置より発信される特定低周波数と、他の電気信号発生装置より発信される電気信号とを組み合わせて増幅信号を発信する
ことを特徴とする体感振動装置の使用方法。
【発明の詳細な説明】
【技術分野】
【０００１】
本発明は、人体から振動を伝達させる体感振動装置及びそれを使用する方法に関する。
【背景技術】
【０００２】
従来より、電気音響信号を機械振動に変換する電気・機械振動変換器とスピーカとを有するスピーカシステムが知られている（例えば、特許文献１参照）。このスピーカシステムは、車室内の床に載置され、乗員が足を載せることで、特に重低音が骨伝導として聴感機能に達するようにしている。また、例えば、特許文献２のように、身体に当接させるバッグに、可聴域の音声を電気変換した音声信号に対しほぼ音声信号の波形に沿う振動を発生する電気・機械振動変換器を、この電気・機械振動変換器の振動面を身体に対向するバッグ表面に沿って内蔵すると共に、電気・機械振動変換器に音声信号の入力端を設け、バッグに身体にほぼ密着して装着するためのベルトを取付けた簡易装着型体感振動装置が知られている。これらは、いずれも可聴域の音声を体感できるようにしている。
【０００３】
また例えば、特許文献３のように、熱可塑性樹脂の中空連続線条のランダムなループ又はカールの隣接する中空線条相互を接触絡合集合してなる所定の嵩密度の空隙を備える三次元構造体であって、この三次元構造体の嵩密度の低い内層を介装して、長手方向表裏に、嵩密度の高い表面層を形成してなるスプリング構造樹脂本体と、このスプリング構造樹脂本体を人体の上半身の背面が当る背面領域を備える家具又は座席と、このスプリング構造樹脂本体に内蔵するか、又は裏面領域に取り付けられ、人体の上半身に向かって前記スプリング構造樹脂本体を介して音を供給し、少なくとも、高音用スピーカと、低音用スピーカと、を有する複数のスピーカとを備える骨伝導音響システムが知られている。この音響システムでは、こうしたスプリング構造樹脂本体の固い表面層に歪みのない音の波動を共振させ、スプリング構造樹脂本体そのものをスピーカの一部として一体的に作用させている。
【０００４】
また、特許文献４のように、上面にバッフル板を有するベッド本体と、バッフル板に設けられるサウンドホールと、バッフル板を挟んでサウンドホールの下側かつベッド本体の内側に設けられるスピーカとを備え、音響療法に必要な音波と振動波を確実に人体へ伝達し、治療効果を高めた音響療法用ベッドが知られている。
【０００５】
なお、特許文献５のように、約１６Ｈｚ〜１５０Ｈｚの範囲内の周波数帯域で主として音域Ｃ0 〜Ｄ3 に相当する体感振動信号の振動の強弱、長短、周波数、波形及び重なりを、音楽作曲上の規則に基づき時系列に組み合わせ、体感振動単独で音楽のように表現できるものを、体感振動として人体に伝える電気・機械振動変換器を備える体感振動装置が知られている。
【先行技術文献】
【特許文献】
【０００６】
【特許文献１】実開昭６１−１８９６８９号公報
【特許文献２】特開平７−２４５７９３号公報
【特許文献３】特開２００５−２２３６３０号公報
【特許文献４】特開２０１１−１６０８６９号公報
【特許文献５】特許第３３４１２３８号公報
【発明の概要】
【発明が解決しようとする課題】
【０００７】
上述したように、電気・機械振動変換器を利用した体感振動装置は、すでに広く知られている。特に本出願人による特許文献４の音響療法用ベッドは、ボーンコンダクション理論及び生体音響効果を利用したものであるが、特定の周波数を生体（人体）に伝える方法として、さらにその正確さを向上させたいというニーズがある。
【０００８】
本発明は、かかる点に鑑みてなされたものであり、その目的とするところは、特定の周波数を人体にできるだけ正確に伝達することにある。
【課題を解決するための手段】
【０００９】
上記の目的を達成するために、この発明では、人体が接触する金属製の振動部材を振動発生装置で振動させるようにした。
【００１０】
具体的には、第１の発明の体感振動装置は、電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体が接触する座面部及び該座面部に連続する側面部を有する金属製の振動部材と、
上記座面部の裏側に配置され、上記振動発生装置を覆うと共に、載置面に載置されて上記座面部を該載置面から浮かせた状態に支持する座面支持部材とを備えている。これにより、上記座面部に触れた人体から振動が伝達されるようにしている。
【００１１】
上記の構成によると、振動エネルギーが載置面に伝達されるのを抑制するように座面支持部材により載置面から浮かせたフリーの状態で支持された金属製の振動部材の座面部を振動発生装置により振動させ、骨伝導により人体を直接振動させることで、後述する特定低周波数などの電気信号を中枢神経や脳に極めて正確に伝達することができる。なお、座面部には、人体が直接触れるのが望ましいが、クッションなどを挟んで人体が触れるようにしてもよい。当然ながら衣服等を介して座面部に人体が触れてもよい。
【００１２】
第２の発明では、第１の発明において、
上記振動部材は、金属板で構成され、
上記座面支持部材は、クッション材で構成され、上記振動発生装置を収容する収容凹部が形成され、
上記クッション材は、上記振動部材の側面部によって側面の少なくとも一部が覆われると共に、上記載置面側の全周は、露出している。
【００１３】
上記の構成によると、振動部材の側面部によって座面支持部材の少なくとも一部を覆うことで、座面支持部材が振動部材から外れ難くなり、また、座面支持部材における載置面側の全周を露出させることにより、人が座面部に載ったときに振動部材の側面部が載置面に接触することがないので、振動発生装置からの振動にノイズ等が混じることなく、効果的に振動が人体に伝達される。
【００１４】
第３の発明では、第２の発明において、
上記クッション材は、上記振動部材に上記側面の少なくとも一部が圧縮された状態で挿入されている。
【００１５】
上記の構成によると、座面支持部材を接着等ではなく、圧縮した状態で振動部材に挿入することで、組付及び修理が容易となる。
【００１６】
第４の発明では、第１から第３のいずれか１つの発明において、
上記電気信号発生装置から言語周波数をもとにした疎密波よりなる特定低周波数が発信されるように構成されている。
【００１７】
ここで、「特定低周波数」の基本周波数は、例えば、６〜５０Ｈｚの疎密波よりなり、６Ｈｚ以上２００Ｈｚ以下の低周波数レンジのものである。この特定低周波数は、耳で聴くというよりも体で体感する振動により効果的に伝達される。
【００１８】
上記の構成によると、単なる物理的振動ではなく、上記特定低周波数を、皮膚振動や骨振動として、よりダイレクトに人体、すなわち脳に伝達させることができる。それにより、心身の健康や意識進化が達成される。
【００１９】
第５の発明では、第１から第４のいずれか１つの発明において、
上記振動部材は、矩形状の座面部を有し、複数の上記体感振動装置を並べ、それぞれに設けられた上記体感振動装置に上記電気信号を送信するように構成されている。
【００２０】
上記の構成によると、複数の体感振動装置を並べることで、それらの上に横たわることができる。それにより、人体全体から振動を伝えることができる。例えば、人間の皮膚の触圧を感知するＳＡＩ（メルケル細胞）を通じて振動を伝える。これにより、よりリラックスした姿勢で振動の伝達を行える。
【００２１】
第６の発明では、第１から第５のいずれか１つの発明の体感振動装置の使用方法において、
上記座面部に座った状態で、尾てい骨から骨振動を全身に伝達させる構成とする。
【００２２】
上記の構成によると、金属製の座面部から振動が正確かつ効果的に尾てい骨を介して骨振動が全身に伝達される。
【００２３】
第７の発明では、第１から第５のいずれか１つの発明の体感振動装置の使用方法において、
上記体感振動装置を作動させた状態で、該体感振動装置から所定距離離れた位置に載置した対象物を眺める構成とする。
【００２４】
上記の構成によると、体感振動装置から所定距離離れた位置に載置した対象物を眺めることにより、例えば、日本古来の瞑想を最新のデジタルテクノロジーによって進化させた、いわゆるデジタルメディテーションと呼ばれる瞑想を効果的に行うことができる。つまり、人の体、意識に最適な周波数をダイレクトに伝えることにより、より深いメディテーションの境地へと誘導される。
【００２５】
第８の発明では、第４の発明の体感振動装置の使用方法において、
上記増幅器において、上記電気信号発生装置より発信される特定低周波数と、他の電気信号発生装置より発信される電気信号とを組み合わせて増幅信号を発信する構成とする。
【００２６】
上記の構成によると、好みの音楽に特定低周波数を乗せることにより、特定低周波数の働きを高めることで、癒しの時間を楽しむことができる。
【発明の効果】
【００２７】
以上説明したように、本発明によれば、座面支持部材により載置面から浮かせたフリーの状態で支持された金属製の振動部材の座面部を振動発生装置により振動させ、骨伝導により人体を直接振動させることにより、特定低周波数を人体にできるだけ正確に伝達することができる。
【図面の簡単な説明】
【００２８】
【図１】本発明の実施形態１に係る体感振動装置を示す斜視図である。
【図２】本発明の実施形態１に係る体感振動装置を示す平面図である。
【図３】本発明の実施形態１に係る体感振動装置を示す側面図である。
【図４】本発明の実施形態１に係る体感振動装置を示す底面図である。
【図５】本発明の実施形態１に係る体感振動装置の全体構成を示す図である。
【図６Ａ】本発明の実施形態１に係る、クッション材を外した状態の体感振動装置を示す底面図である。
【図６Ｂ】実施形態１に係るクッション材を示す平面図である。
【図６Ｃ】図６ＡのVIC−VIC線拡大断面図である。
【図７】本発明の実施形態２に係る体感振動装置を示す斜視図である。
【図８】本発明の実施形態２に係る体感振動装置を示す側面図である。
【図９】本発明の実施形態２に係る体感振動装置を示す正面図である。
【図１０】本発明の実施形態２に係る体感振動装置を３つ並べた状態を示す平面図である。
【図１１】本発明の実施形態２に係る、クッション材を外した状態の体感振動装置を示す底面図である。
【図１２】本発明の実施形態２に係る体感振動装置の全体構成を示す図である。
【発明を実施するための形態】
【００２９】
以下、本発明の実施形態を図面に基づいて説明する。
【００３０】
（実施形態１）
−体感振動装置の構成−
図１〜図４は本発明の実施形態１の体感振動装置１を示し、この体感振動装置１は、人体が接触する円板状の座面部２ａと、この座面部２ａに連続する側面部２ｂを有する金属製の振動部材２を備えている。本実施形態では、座面部２ａは、例えば、直径６００ｍｍ、厚さ２ｍｍ程度のステンレス鋼板よりなるが、材質やその大きさは特に制限されない。側面部２ｂは、例えば厚さ２ｍｍ、高さ６０ｍｍ程度のステンレス鋼板よりなる。側面部２ｂは、溶接等により座面部２ａに固定してもよいし、座面部２ａに一体成型されていてもよい。このステンレス鋼板には、後述するハーネス６を避けるために例えば直径２０ｍｍ程度の半円状の切欠２ｃが設けられているが、これは必ずしも設けられていなくてもよい。また、側面部２ｂの載置面３側には、端部保護のために断面Ｕ字状のゴム部材２ｄが嵌められているが、これも必ずしもなくてもよい。振動部材２は、後述する実施形態２のように純チタンの薄板で構成されていてもよい。
【００３１】
図６Ａにも示すように、座面部２ａの裏面には、例えば、４つの振動発生装置５が固定されている。この振動発生装置５は、例えば、１６〜１５，０００Ｈｚの周波数帯域を再生可能な高性能バイブロトランデューサよりなり、図６Ｃにも示すように、例えば、肉厚３ｍｍ程度の略矩形状のアルミ板よりなるベースプレート７に４つのキリ孔７ａを設け、このキリ孔７ａにそれぞれ皿ネジ８を挿入した状態で座面部２ａの裏面に接着剤等により固定している。なお、このベースプレート７の材質、厚さ、形状等は特に限定されず、このベースプレート７を使わずに、座面部２ａに直接キリ孔を空けて皿ネジ８とナット９とで振動発生装置５を固定してもよい。このように、振動発生装置５の振動発生部５ａが、座面部２ａの裏面に直接連結されている。この振動発生装置５は、増幅器１０に接続されるハーネス６を備えている。各振動発生装置５のハーネス６が束ねられ、切欠２ｃを通って増幅器１０に接続されている。
【００３２】
そして、座面部２ａの裏側には、振動発生装置５を覆うと共に、建物の床などの載置面３に載置されて座面部２ａを載置面３から浮かせた状態に支持する座面支持部材４が挿入されている。この座面支持部材４により、座面部２ａに触れた人体から振動が伝達されるようになっている。図６Ｂに示すように、座面支持部材４は、例えば、熱可塑性ポリエステル系エラストマーを繊維状にして複雑に組み合わせた三次元スプリング構造体よりなるクッション材で構成されており、載置面３側には、振動発生装置５を収容する例えば十字状の収容凹部４ａが形成されている。図１及び図２に示すように、座面支持部材４は、振動部材２の側面部２ｂによって上側側面が覆われると共に、載置面３側の全周は、露出している。座面支持部材４は、振動部材２に側面の少なくとも一部が圧縮された状態で挿入されている。例えば、振動部材２の内径が５９６ｍｍの場合、座面支持部材４の外径をこれよりも若干大きくする（例えば外径６００ｍｍ）ことで、座面支持部材４が多少変形した状態で振動部材２の内面に嵌め込まれている。このため、座面支持部材４は、接着等により完全に固定されていないが、振動部材２から引っ張る等により力を加えない限り外れないようになっている。振動部材２は、三次元スプリング構造体から切削により外形及び収容凹部４ａを成形してもよいし、金型等を用いて一体成型してもよい。座面支持部材４の高さは、例えば８０ｍｍとし、人が座面部２ａに座ったときに側面部２ｂが載置面３に触れない程度の高さ及び硬さを有している。
【００３３】
図５に示すように、増幅器１０は、ＡＣ１００Ｖなどの電源１１と、電気信号を発生する電気信号発生装置１２とに接続され、電気信号発生装置１２からの電気信号を増幅させる役割を果たす。この増幅器１０から送信される電気信号が、振動発生装置５によって機械的な振動に変換されるようになっている。
【００３４】
本実施形態では、例えば、電気信号発生装置１２から例えば言語周波数をもとにした疎密波よりなる特定低周波数が発信されるように構成されている。ここで、「特定低周波数」の基本周波数は、世界中の言語を周波数化したものであり、例えば、６〜５０Ｈｚの疎密波よりなる。一例として、母音（ａ，ｉ，ｕ，ｅ，ｏ）と子音（Ｔ、Ｋ、Ｍ、Ｈ、Ｒ、Ｎ、Ｙ、Ｓ、Ｗ等）の組み合わせから言語の一音が発生することを利用し、周波数化する。母音の周波数の平均値は、地球の固有振動数であるシューマンウェーブの値である７．８３Ｈｚと近似している。そして、脳波とシューマンウェーブとは、共鳴関係にある。このようなことから、特定低周波数は、耳で聴くというよりも体で体感する振動によりさらに効果的に伝達されることがわかってきた。
【００３５】
本実施形態の体感振動装置１による振動は、例えば、周波数レンジが約６〜２００Ｈｚで連続パルスによる刺激となっている。なお、この特定低周波数は、およそ６Ｈｚ以上２００Ｈｚ以下の低周波数レンジのものであれば、上記言語周波数をもとにした疎密波に限定されない。
【００３６】
なお、この増幅器１０において、電気信号発生装置１２より発信される特定低周波数と、他のＣＤプレーヤーなどの電気信号発生装置１２より発信される電気信号とを組み合わせて増幅信号を発信するようにしてもよい。また、特定低周波数を含まない、好みのＣＤ等を利用して電気信号発生装置１２から電気信号を発信させるようにしてもよい。
【００３７】
−体感振動装置の使用方法−
次に、本実施形態に係る体感振動装置１の使用方法について説明する。
【００３８】
まず、上述した体感振動装置１を電源１１に繋ぎ、電気信号発生装置１２より、特定低周波数等の電気信号を発生させ、増幅器１０で増幅した電気信号を振動発生装置５に発信する。
【００３９】
その状態で、座面部２ａに座った状態で、尾てい骨から上記電気信号に対応した振動発生装置５による骨振動を全身に伝達させる。すると、金属製の座面部２ａから振動が正確かつ効果的に尾てい骨を介して骨振動が全身に伝達される。また、この刺激（振動）及びそこに含まれる情報がメルケル細胞を通して中枢神経に運ばれ、脳や意識に何らかの影響を与える。なお、特許文献４のようなハニカムシリコンマットを座面部２ａの上に載置してその上から座るようにしてもよい。そうすれば、ハニカムシリコンマットの振動が、皮膚にとっては連続して凸凹が入れ替わっている状態として感知され、連続した微細な周波数を皮膚に伝えることができる。
【００４０】
この体感振動装置１を作動させた状態で、例えば、体感振動装置１から所定距離離れた位置に載置した対象物を眺めた状態で瞑想してもよい。対象物としては、図示しないが、例えば、檜などの木材で構成した台に載置した黒曜石が適している。また、液晶画面に、この黒曜石に対応する画像を表示したスマートフォンなどでもよい。色の三原色では、同じ割合で三色を混ぜると黒になることから、黒曜石の黒とはすべてを包括する色であるのと同時に、すべての可能性を秘めた根源の色ということができる。この黒曜石に象徴されるゼロポイントを、すべてを生み出す創造の起点と捉えて瞑想を行う。例えば、左右の目で、空間全体と一体化した黒曜石を見ることで、黒曜石の情報が視交叉を経由して、各階層の視覚野で処理され、脳内で黒曜石の映像が統合される。このとき、メビウスの輪の流れにより、左右の脳が同調し、情報が循環することで、右脳と左脳が振動し、共鳴していくと考えられる。このように、黒曜石と意識を同調させることで、「すべての情報が畳み込まれている創造の起点」としてのゼロの概念と脳内の情報の同調に繋がり、その結果、様々なアイデアが浮かび、創造性が高まるという効果が得られる。このように、本実施形態の体感振動装置１によると、日本古来の瞑想を最新のデジタルテクノロジーによって進化させた、いわゆるデジタルメディテーションと呼ばれる瞑想を効果的に行うことができる。つまり、人の体や意識に最適な周波数をダイレクトに伝えることにより、より深いメディテーションの境地へと誘導される。例えば、複数の振動発生装置５を黒曜石を中心に円弧状に並べて複数人で同時にデジタルメディテーションを行えば、さらに効果的に瞑想を行うことができる。
【００４１】
上述したように、増幅器１０において、特定低周波数と、ＣＤプレーヤーやスマートフォンなどから発信される電気信号とを組み合わせて増幅信号を発信するようにしてもよい。こうすれば、好みの音楽に特定低周波数を乗せることにより、特定低周波数の働きを高めることで、癒しの時間を楽しむことができる。
【００４２】
本実施形態では、単なる物理的振動ではなく、特定低周波数を、皮膚振動や骨振動として、よりダイレクトに人体、すなわち脳に伝達させることができる。それにより、心身の健康や意識進化が達成される。座面部２ａが直接肌に触れることにより、特定低周波数による刺激（振動）並びに、そこに含まれる情報が、このメルケル細胞を通して中枢神経に運ばれ、脳や意識に何らかの影響を与えているという解釈が可能である。
【００４３】
以上説明したように、本実施形態では、振動部材２の側面部２ｂによって座面支持部材４の少なくとも一部を覆うことで、見映えがよくなると共に、座面支持部材４が振動部材２から外れ難くなっている。また、座面支持部材４における載置面３側の全周を露出させることにより、人が座面部２ａに載ったときに振動部材２の側面部２ｂが載置面３に接触するのが抑制されるので、振動発生装置５からの振動にノイズ等が入ることなく、効果的に人体に伝達される。
【００４４】
また、振動エネルギーが床などの載置面３に伝達されるのを抑制するように座面支持部材４により載置面３から浮かせたフリーの状態で支持された金属製の振動部材２の座面部２ａを振動発生装置５により振動させ、骨伝導等により人体を直接振動させることで、特定低周波数などの電気信号を中枢神経や脳に極めて正確に伝達することができる。
【００４５】
本実施形態では、座面支持部材４を接着等ではなく、圧縮した状態で振動部材２に挿入しているので、振動発生装置５の組付及び修理が容易となる。
【００４６】
したがって、本実施形態に係る体感振動装置１によると、座面支持部材４により載置面３から浮かせたフリーの状態で支持された金属製の振動部材２の座面部２ａを振動発生装置５により振動させ、骨伝導により人体を直接振動させることにより、特定低周波数を人体にできるだけ正確に伝達することができる。
【００４７】
（実施形態２）
−体感振動装置の構成−
図７〜図９は本発明の実施形態２に係る体感振動装置１０１を示し、主に振動部材１０２、座面支持部材１０４等の形状及び振動発生装置５の個数が異なる点で実施形態１と異なる。なお、以下の各実施形態では、図１〜図６Ｃと同じ部分については同じ符号を付してその詳細な説明は省略する。
【００４８】
本実施形態の振動部材１０２は、例えば矩形板状の座面部１０２ａと、この座面部１０２ａの対向する二辺に連続し、略９０°折り曲げられた側面部１０２ｂと有する。例えば、振動部材１０２として、一辺が６００ｍｍの正方形の側面部１０２ｂのものを使用する。なお、側面部１０２ｂは、上記実施形態１のように全周に連続するように設けてもよい。本実施形態の振動部材１０２は、例えば、酸化チタンの酸化膜による結晶加飾加工を施した純チタンの板部材が用いられる。この板部材を折り曲げて成形すればよいので、製造が容易な上、見映えが極めてよく、さらには光抗菌作用などの商品価値を向上させる効果も得られる。
【００４９】
本実施形態では、矩形状の座面部１０２ａの裏面に上記実施形態１と同様の方法で、例えば図１１に示すように、１つの振動発生装置５が座面部１０２ａの中央部に固定されている。例えば、座面部１０２ａに設けたキリ孔に皿ネジ８を挿通して裏面側に振動発生装置５がナット９等によって締結されている。なお、この振動発生装置５の個数やその固定位置、固定方法は特に限定されず、上記実施形態１と同様の固定方法を用いてもよい。
【００５０】
本実施形態の座面支持部材１０４は、振動部材１０２の形状に合わせた矩形板状のものよりなり、座面部１０２ａの外形と同じか若干大きい外形を有し、上記実施形態１と同様に振動発生装置５の位置に矩形状の収容凹部１０４ａが凹陥されている。例えば、側面部１０２ｂの高さが４０ｍｍ程度の場合、５０ｍｍ程度の座面支持部材１０４を使用し、この座面支持部材１０４は、人が座面部１０２ａに座ったときに側面部１０２ｂが載置面３に触れない程度の高さ及び硬さを有している。
【００５１】
本実施形態の体感振動装置１０１は、図１０に示すように、例えば３つ直線状に並べられてベッド状に配置することができるようになっている。
【００５２】
そして、図１２に示すように、それぞれの振動発生装置５に上記実施形態１と同様に増幅器１０から例えば特定低周波数を含む電気信号が送られるようになっている。
【００５３】
−体感振動装置の使用方法−
次に、本実施形態に係る体感振動装置１０１の使用方法について説明する。
【００５４】
まず、図１０に示すように、振動部材１０２の側面部１０２ｂが設けられていない部分同士が対向するように、３つの体感振動装置１０１を並べ、図１２に示すように各機器を接続して作動させ、それぞれに設けられた振動発生装置５に電気信号を送信する。電気信号の送信の方法は、上記実施形態１と同様である。
【００５５】
このように、複数の体感振動装置１０１を複数直線状に並べることで、それらの上に横たわることができる。それにより、人体全体から振動を伝えることができる。例えば、人間の皮膚の触圧を感知するメルケル細胞を通じて振動を伝えることもできる。これにより、よりリラックスした姿勢で振動の伝達を行える。
【００５６】
また、振動部材１０２の側面部１０２ｂが設けられていない部分が対向するように体感振動装置１０１を並べることで、隣り合う振動部材１０２が互いに接触することなく、それぞれの体感振動装置１０１から効果的に振動が人体に伝達される。
【００５７】
したがって、本実施形態に係る体感振動装置１０１においても、特定低周波数を人体にできるだけ正確に伝達することができる。
【００５８】
なお、本実施形態の体感振動装置１０１は、３つ並べるのではなく、間隔を空けて並べてそれぞれの座面部１０２ａに人が座るようにしてもよい。
【００５９】
（その他の実施形態）
本発明は、実施形態について、以下のような構成としてもよい。
【００６０】
すなわち、上記各実施形態では、座面支持部材４は、熱可塑性ポリエステル系エラストマーを繊維状にして複雑に組み合わせた三次元スプリング構造体よりなるクッション材で構成したが、これに限定されず、三次元スプリング構造体に補強材を一体に埋め込んだり、載置面側の密度を高くしたりしてもよい。また、ウレタンなど適度な硬さ及び弾性を有する別材料を使用し、載置面３に載置されたときに振動エネルギーを載置面３に伝達するのを抑制するように座面部２ａを載置面３から浮かせた状態に支持できるようにしてもよい。
【００６１】
なお、以上の実施形態は、本質的に好ましい例示であって、本発明、その適用物や用途の範囲を制限することを意図するものではない。
【符号の説明】
【００６２】
１      体感振動装置 
２      振動部材 
２ａ    座面部 
２ｂ    側面部 
２ｃ    切欠 
２ｄ    ゴム部材 
３      載置面 
４      座面支持部材 
４ａ    収容凹部 
５      振動発生装置 
５ａ    振動発生部 
６      ハーネス 
７      ベースプレート 
７ａ    キリ孔
８      皿ネジ 
９      ナット
１０      増幅器 
１１      電源 
１２      電気信号発生装置 
１０１      体感振動装置 
１０２      振動部材 
１０２ａ    座面部 
１０２ｂ    側面部 
１０４      座面支持部材 
１０４ａ    収容凹部
【図１】
2020043393.tif 000003
【図２】
2020043393.tif 000004
【図３】
2020043393.tif 000005
【図４】
2020043393.tif 000006
【図５】
2020043393.tif 000007
【図６Ａ】
2020043393.tif 000008
【図６Ｂ】
2020043393.tif 000009
【図６Ｃ】
2020043393.tif 000010
【図７】
2020043393.tif 000011
【図８】
2020043393.tif 000012
【図９】
2020043393.tif 000013
【図１０】
2020043393.tif 000014
【図１１】
2020043393.tif 000015
【図１２】
2020043393.tif 000016
【手続補正書】
【提出日】平成30年9月26日(2018.9.26)
【手続補正１】
【補正対象書類名】明細書
【補正対象項目名】全文
【補正方法】変更
【補正の内容】
【発明の詳細な説明】
【技術分野】
【０００１】
本発明は、人体から振動を伝達させる骨振動体感装置及びそれを使用する方法に関する。
【背景技術】
【０００２】
従来より、電気音響信号を機械振動に変換する電気・機械振動変換器とスピーカとを有するスピーカシステムが知られている（例えば、特許文献１参照）。このスピーカシステムは、車室内の床に載置され、乗員が足を載せることで、特に重低音が骨伝導として聴感機能に達するようにしている。また、例えば、特許文献２のように、身体に当接させるバッグに、可聴域の音声を電気変換した音声信号に対しほぼ音声信号の波形に沿う振動を発生する電気・機械振動変換器を、この電気・機械振動変換器の振動面を身体に対向するバッグ表面に沿って内蔵すると共に、電気・機械振動変換器に音声信号の入力端を設け、バッグに身体にほぼ密着して装着するためのベルトを取付けた簡易装着型体感振動装置が知られている。これらは、いずれも可聴域の音声を体感できるようにしている。
【０００３】
また例えば、特許文献３のように、熱可塑性樹脂の中空連続線条のランダムなループ又はカールの隣接する中空線条相互を接触絡合集合してなる所定の嵩密度の空隙を備える三次元構造体であって、この三次元構造体の嵩密度の低い内層を介装して、長手方向表裏に、嵩密度の高い表面層を形成してなるスプリング構造樹脂本体と、このスプリング構造樹脂本体を人体の上半身の背面が当る背面領域を備える家具又は座席と、このスプリング構造樹脂本体に内蔵するか、又は裏面領域に取り付けられ、人体の上半身に向かって前記スプリング構造樹脂本体を介して音を供給し、少なくとも、高音用スピーカと、低音用スピーカと、を有する複数のスピーカとを備える骨伝導音響システムが知られている。この音響システムでは、こうしたスプリング構造樹脂本体の固い表面層に歪みのない音の波動を共振させ、スプリング構造樹脂本体そのものをスピーカの一部として一体的に作用させている。
【０００４】
また、特許文献４のように、上面にバッフル板を有するベッド本体と、バッフル板に設けられるサウンドホールと、バッフル板を挟んでサウンドホールの下側かつベッド本体の内側に設けられるスピーカとを備え、音響療法に必要な音波と振動波を確実に人体へ伝達し、治療効果を高めた音響療法用ベッドが知られている。
【０００５】
なお、特許文献５のように、約１６Ｈｚ〜１５０Ｈｚの範囲内の周波数帯域で主として音域Ｃ0 〜Ｄ3 に相当する体感振動信号の振動の強弱、長短、周波数、波形及び重なりを、音楽作曲上の規則に基づき時系列に組み合わせ、体感振動単独で音楽のように表現できるものを、体感振動として人体に伝える電気・機械振動変換器を備える体感振動装置が知られている。
【先行技術文献】
【特許文献】
【０００６】
【特許文献１】実開昭６１−１８９６８９号公報
【特許文献２】特開平７−２４５７９３号公報
【特許文献３】特開２００５−２２３６３０号公報
【特許文献４】特開２０１１−１６０８６９号公報
【特許文献５】特許第３３４１２３８号公報
【発明の概要】
【発明が解決しようとする課題】
【０００７】
上述したように、電気・機械振動変換器を利用した体感振動装置は、すでに広く知られている。特に本出願人による特許文献４の音響療法用ベッドは、ボーンコンダクション理論及び生体音響効果を利用したものであるが、特定の周波数を生体（人体）に伝える方法として、さらにその正確さを向上させたいというニーズがある。
【０００８】
本発明は、かかる点に鑑みてなされたものであり、その目的とするところは、特定の周波数を人体にできるだけ正確に伝達することにある。
【課題を解決するための手段】
【０００９】
上記の目的を達成するために、この発明では、人体が接触する金属製の振動部材を振動発生装置で振動させるようにした。
【００１０】
具体的には、第１の発明の骨振動体感装置は、電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体が接触する座面部及び該座面部に連続する側面部を有する金属製の振動部材と、
上記座面部の裏側に配置され、上記振動発生装置を覆うと共に、載置面に載置されて上記座面部を該載置面から浮かせた状態に支持する座面支持部材とを備えている。これにより、上記座面部に触れた人体から振動が伝達されるようにしている。
【００１１】
上記の構成によると、振動エネルギーが載置面に伝達されるのを抑制するように座面支持部材により載置面から浮かせたフリーの状態で支持された金属製の振動部材の座面部を振動発生装置により振動させ、骨伝導により人体を直接振動させることで、後述する特定低周波数などの電気信号を中枢神経や脳に極めて正確に伝達することができる。なお、座面部には、人体が直接触れるのが望ましいが、クッションなどを挟んで人体が触れるようにしてもよい。当然ながら衣服等を介して座面部に人体が触れてもよい。
【００１２】
第２の発明では、第１の発明において、
上記振動部材は、金属板で構成され、
上記座面支持部材は、クッション材で構成され、上記振動発生装置を収容する収容凹部が形成され、
上記クッション材は、上記振動部材の側面部によって側面の少なくとも一部が覆われると共に、上記載置面側の全周は、露出している。
【００１３】
上記の構成によると、振動部材の側面部によって座面支持部材の少なくとも一部を覆うことで、座面支持部材が振動部材から外れ難くなり、また、座面支持部材における載置面側の全周を露出させることにより、人が座面部に載ったときに振動部材の側面部が載置面に接触することがないので、振動発生装置からの振動にノイズ等が混じることなく、効果的に振動が人体に伝達される。
【００１４】
第３の発明では、第２の発明において、
上記クッション材は、上記振動部材に上記側面の少なくとも一部が圧縮された状態で挿入されている。
【００１５】
上記の構成によると、座面支持部材を接着等ではなく、圧縮した状態で振動部材に挿入することで、組付及び修理が容易となる。
【００１６】
第４の発明では、第１から第３のいずれか１つの発明において、
上記電気信号発生装置から言語周波数をもとにした疎密波よりなる特定低周波数が発信されるように構成されている。
【００１７】
ここで、「特定低周波数」の基本周波数は、例えば、６〜５０Ｈｚの疎密波よりなり、６Ｈｚ以上２００Ｈｚ以下の低周波数レンジのものである。この特定低周波数は、耳で聴くというよりも体で体感する振動により効果的に伝達される。
【００１８】
上記の構成によると、単なる物理的振動ではなく、上記特定低周波数を、皮膚振動や骨振動として、よりダイレクトに人体、すなわち脳に伝達させることができる。それにより、心身の健康や意識進化が達成される。
【００１９】
第５の発明では、第１から第４のいずれか１つの発明において、
上記振動部材は、矩形状の座面部を有し、複数の上記骨振動体感装置を並べ、それぞれに設けられた上記骨振動体感装置に上記電気信号を送信するように構成されている。
【００２０】
上記の構成によると、複数の骨振動体感装置を並べることで、それらの上に横たわることができる。それにより、人体全体から振動を伝えることができる。例えば、人間の皮膚の触圧を感知するＳＡＩ（メルケル細胞）を通じて振動を伝える。これにより、よりリラックスした姿勢で振動の伝達を行える。
【００２１】
第６の発明では、第１から第５のいずれか１つの発明の骨振動体感装置の使用方法において、
上記座面部に座った状態で、尾てい骨から骨振動を全身に伝達させる構成とする。
【００２２】
上記の構成によると、金属製の座面部から振動が正確かつ効果的に尾てい骨を介して骨振動が全身に伝達される。
【００２３】
第７の発明では、第１から第５のいずれか１つの発明の骨振動体感装置の使用方法において、
上記骨振動体感装置を作動させた状態で、該骨振動体感装置から所定距離離れた位置に載置した対象物を眺める構成とする。
【００２４】
上記の構成によると、骨振動体感装置から所定距離離れた位置に載置した対象物を眺めることにより、例えば、日本古来の瞑想を最新のデジタルテクノロジーによって進化させた、いわゆるデジタルメディテーションと呼ばれる瞑想を効果的に行うことができる。つまり、人の体、意識に最適な周波数をダイレクトに伝えることにより、より深いメディテーションの境地へと誘導される。
【００２５】
第８の発明では、第４の発明の骨振動体感装置の使用方法において、
上記増幅器において、上記電気信号発生装置より発信される特定低周波数と、他の電気信号発生装置より発信される電気信号とを組み合わせて増幅信号を発信する構成とする。
【００２６】
上記の構成によると、好みの音楽に特定低周波数を乗せることにより、特定低周波数の働きを高めることで、癒しの時間を楽しむことができる。
【発明の効果】
【００２７】
以上説明したように、本発明によれば、座面支持部材により載置面から浮かせたフリーの状態で支持された金属製の振動部材の座面部を振動発生装置により振動させ、骨伝導により人体を直接振動させることにより、特定低周波数を人体にできるだけ正確に伝達することができる。
【図面の簡単な説明】
【００２８】
【図１】本発明の実施形態１に係る骨振動体感装置を示す斜視図である。
【図２】本発明の実施形態１に係る骨振動体感装置を示す平面図である。
【図３】本発明の実施形態１に係る骨振動体感装置を示す側面図である。
【図４】本発明の実施形態１に係る骨振動体感装置を示す底面図である。
【図５】本発明の実施形態１に係る骨振動体感装置の全体構成を示す図である。
【図６Ａ】本発明の実施形態１に係る、クッション材を外した状態の骨振動体感装置を示す底面図である。
【図６Ｂ】実施形態１に係るクッション材を示す平面図である。
【図６Ｃ】図６ＡのVIC−VIC線拡大断面図である。
【図７】本発明の実施形態２に係る骨振動体感装置を示す斜視図である。
【図８】本発明の実施形態２に係る骨振動体感装置を示す側面図である。
【図９】本発明の実施形態２に係る骨振動体感装置を示す正面図である。
【図１０】本発明の実施形態２に係る骨振動体感装置を３つ並べた状態を示す平面図である。
【図１１】本発明の実施形態２に係る、クッション材を外した状態の骨振動体感装置を示す底面図である。
【図１２】本発明の実施形態２に係る骨振動体感装置の全体構成を示す図である。
【発明を実施するための形態】
【００２９】
以下、本発明の実施形態を図面に基づいて説明する。
【００３０】
（実施形態１）
−骨振動体感装置の構成−
図１〜図４は本発明の実施形態１の骨振動体感装置１を示し、この骨振動体感装置１は、人体が接触する円板状の座面部２ａと、この座面部２ａに連続する側面部２ｂを有する金属製の振動部材２を備えている。本実施形態では、座面部２ａは、例えば、直径６００ｍｍ、厚さ２ｍｍ程度のステンレス鋼板よりなるが、材質やその大きさは特に制限されない。側面部２ｂは、例えば厚さ２ｍｍ、高さ６０ｍｍ程度のステンレス鋼板よりなる。側面部２ｂは、溶接等により座面部２ａに固定してもよいし、座面部２ａに一体成型されていてもよい。このステンレス鋼板には、後述するハーネス６を避けるために例えば直径２０ｍｍ程度の半円状の切欠２ｃが設けられているが、これは必ずしも設けられていなくてもよい。また、側面部２ｂの載置面３側には、端部保護のために断面Ｕ字状のゴム部材２ｄが嵌められているが、これも必ずしもなくてもよい。振動部材２は、後述する実施形態２のように純チタンの薄板で構成されていてもよい。
【００３１】
図６Ａにも示すように、座面部２ａの裏面には、例えば、４つの振動発生装置５が固定されている。この振動発生装置５は、例えば、１６〜１５，０００Ｈｚの周波数帯域を再生可能な高性能バイブロトランデューサよりなり、図６Ｃにも示すように、例えば、肉厚３ｍｍ程度の略矩形状のアルミ板よりなるベースプレート７に４つのキリ孔７ａを設け、このキリ孔７ａにそれぞれ皿ネジ８を挿入した状態で座面部２ａの裏面に接着剤等により固定している。なお、このベースプレート７の材質、厚さ、形状等は特に限定されず、このベースプレート７を使わずに、座面部２ａに直接キリ孔を空けて皿ネジ８とナット９とで振動発生装置５を固定してもよい。このように、振動発生装置５の振動発生部５ａが、座面部２ａの裏面に直接連結されている。この振動発生装置５は、増幅器１０に接続されるハーネス６を備えている。各振動発生装置５のハーネス６が束ねられ、切欠２ｃを通って増幅器１０に接続されている。
【００３２】
そして、座面部２ａの裏側には、振動発生装置５を覆うと共に、建物の床などの載置面３に載置されて座面部２ａを載置面３から浮かせた状態に支持する座面支持部材４が挿入されている。この座面支持部材４により、座面部２ａに触れた人体から振動が伝達されるようになっている。図６Ｂに示すように、座面支持部材４は、例えば、熱可塑性ポリエステル系エラストマーを繊維状にして複雑に組み合わせた三次元スプリング構造体よりなるクッション材で構成されており、載置面３側には、振動発生装置５を収容する例えば十字状の収容凹部４ａが形成されている。図１及び図２に示すように、座面支持部材４は、振動部材２の側面部２ｂによって上側側面が覆われると共に、載置面３側の全周は、露出している。座面支持部材４は、振動部材２に側面の少なくとも一部が圧縮された状態で挿入されている。例えば、振動部材２の内径が５９６ｍｍの場合、座面支持部材４の外径をこれよりも若干大きくする（例えば外径６００ｍｍ）ことで、座面支持部材４が多少変形した状態で振動部材２の内面に嵌め込まれている。このため、座面支持部材４は、接着等により完全に固定されていないが、振動部材２から引っ張る等により力を加えない限り外れないようになっている。振動部材２は、三次元スプリング構造体から切削により外形及び収容凹部４ａを成形してもよいし、金型等を用いて一体成型してもよい。座面支持部材４の高さは、例えば８０ｍｍとし、人が座面部２ａに座ったときに側面部２ｂが載置面３に触れない程度の高さ及び硬さを有している。
【００３３】
図５に示すように、増幅器１０は、ＡＣ１００Ｖなどの電源１１と、電気信号を発生する電気信号発生装置１２とに接続され、電気信号発生装置１２からの電気信号を増幅させる役割を果たす。この増幅器１０から送信される電気信号が、振動発生装置５によって機械的な振動に変換されるようになっている。
【００３４】
本実施形態では、例えば、電気信号発生装置１２から例えば言語周波数をもとにした疎密波よりなる特定低周波数が発信されるように構成されている。ここで、「特定低周波数」の基本周波数は、世界中の言語を周波数化したものであり、例えば、６〜５０Ｈｚの疎密波よりなる。一例として、母音（ａ，ｉ，ｕ，ｅ，ｏ）と子音（Ｔ、Ｋ、Ｍ、Ｈ、Ｒ、Ｎ、Ｙ、Ｓ、Ｗ等）の組み合わせから言語の一音が発生することを利用し、周波数化する。母音の周波数の平均値は、地球の固有振動数であるシューマンウェーブの値である７．８３Ｈｚと近似している。そして、脳波とシューマンウェーブとは、共鳴関係にある。このようなことから、特定低周波数は、耳で聴くというよりも体で体感する振動によりさらに効果的に伝達されることがわかってきた。
【００３５】
本実施形態の骨振動体感装置１による振動は、例えば、周波数レンジが約６〜２００Ｈｚで連続パルスによる刺激となっている。なお、この特定低周波数は、およそ６Ｈｚ以上２００Ｈｚ以下の低周波数レンジのものであれば、上記言語周波数をもとにした疎密波に限定されない。
【００３６】
なお、この増幅器１０において、電気信号発生装置１２より発信される特定低周波数と、他のＣＤプレーヤーなどの電気信号発生装置１２より発信される電気信号とを組み合わせて増幅信号を発信するようにしてもよい。また、特定低周波数を含まない、好みのＣＤ等を利用して電気信号発生装置１２から電気信号を発信させるようにしてもよい。
【００３７】
−骨振動体感装置の使用方法−
次に、本実施形態に係る骨振動体感装置１の使用方法について説明する。
【００３８】
まず、上述した骨振動体感装置１を電源１１に繋ぎ、電気信号発生装置１２より、特定低周波数等の電気信号を発生させ、増幅器１０で増幅した電気信号を振動発生装置５に発信する。
【００３９】
その状態で、座面部２ａに座った状態で、尾てい骨から上記電気信号に対応した振動発生装置５による骨振動を全身に伝達させる。すると、金属製の座面部２ａから振動が正確かつ効果的に尾てい骨を介して骨振動が全身に伝達される。また、この刺激（振動）及びそこに含まれる情報がメルケル細胞を通して中枢神経に運ばれ、脳や意識に何らかの影響を与える。なお、特許文献４のようなハニカムシリコンマットを座面部２ａの上に載置してその上から座るようにしてもよい。そうすれば、ハニカムシリコンマットの振動が、皮膚にとっては連続して凸凹が入れ替わっている状態として感知され、連続した微細な周波数を皮膚に伝えることができる。
【００４０】
この骨振動体感装置１を作動させた状態で、例えば、骨振動体感装置１から所定距離離れた位置に載置した対象物を眺めた状態で瞑想してもよい。対象物としては、図示しないが、例えば、檜などの木材で構成した台に載置した黒曜石が適している。また、液晶画面に、この黒曜石に対応する画像を表示したスマートフォンなどでもよい。色の三原色では、同じ割合で三色を混ぜると黒になることから、黒曜石の黒とはすべてを包括する色であるのと同時に、すべての可能性を秘めた根源の色ということができる。この黒曜石に象徴されるゼロポイントを、すべてを生み出す創造の起点と捉えて瞑想を行う。例えば、左右の目で、空間全体と一体化した黒曜石を見ることで、黒曜石の情報が視交叉を経由して、各階層の視覚野で処理され、脳内で黒曜石の映像が統合される。このとき、メビウスの輪の流れにより、左右の脳が同調し、情報が循環することで、右脳と左脳が振動し、共鳴していくと考えられる。このように、黒曜石と意識を同調させることで、「すべての情報が畳み込まれている創造の起点」としてのゼロの概念と脳内の情報の同調に繋がり、その結果、様々なアイデアが浮かび、創造性が高まるという効果が得られる。このように、本実施形態の骨振動体感装置１によると、日本古来の瞑想を最新のデジタルテクノロジーによって進化させた、いわゆるデジタルメディテーションと呼ばれる瞑想を効果的に行うことができる。つまり、人の体や意識に最適な周波数をダイレクトに伝えることにより、より深いメディテーションの境地へと誘導される。例えば、複数の振動発生装置５を黒曜石を中心に円弧状に並べて複数人で同時にデジタルメディテーションを行えば、さらに効果的に瞑想を行うことができる。
【００４１】
上述したように、増幅器１０において、特定低周波数と、ＣＤプレーヤーやスマートフォンなどから発信される電気信号とを組み合わせて増幅信号を発信するようにしてもよい。こうすれば、好みの音楽に特定低周波数を乗せることにより、特定低周波数の働きを高めることで、癒しの時間を楽しむことができる。
【００４２】
本実施形態では、単なる物理的振動ではなく、特定低周波数を、皮膚振動や骨振動として、よりダイレクトに人体、すなわち脳に伝達させることができる。それにより、心身の健康や意識進化が達成される。座面部２ａが直接肌に触れることにより、特定低周波数による刺激（振動）並びに、そこに含まれる情報が、このメルケル細胞を通して中枢神経に運ばれ、脳や意識に何らかの影響を与えているという解釈が可能である。
【００４３】
以上説明したように、本実施形態では、振動部材２の側面部２ｂによって座面支持部材４の少なくとも一部を覆うことで、見映えがよくなると共に、座面支持部材４が振動部材２から外れ難くなっている。また、座面支持部材４における載置面３側の全周を露出させることにより、人が座面部２ａに載ったときに振動部材２の側面部２ｂが載置面３に接触するのが抑制されるので、振動発生装置５からの振動にノイズ等が入ることなく、効果的に人体に伝達される。
【００４４】
また、振動エネルギーが床などの載置面３に伝達されるのを抑制するように座面支持部材４により載置面３から浮かせたフリーの状態で支持された金属製の振動部材２の座面部２ａを振動発生装置５により振動させ、骨伝導等により人体を直接振動させることで、特定低周波数などの電気信号を中枢神経や脳に極めて正確に伝達することができる。
【００４５】
本実施形態では、座面支持部材４を接着等ではなく、圧縮した状態で振動部材２に挿入しているので、振動発生装置５の組付及び修理が容易となる。
【００４６】
したがって、本実施形態に係る骨振動体感装置１によると、座面支持部材４により載置面３から浮かせたフリーの状態で支持された金属製の振動部材２の座面部２ａを振動発生装置５により振動させ、骨伝導により人体を直接振動させることにより、特定低周波数を人体にできるだけ正確に伝達することができる。
【００４７】
（実施形態２）
−骨振動体感装置の構成−
図７〜図９は本発明の実施形態２に係る骨振動体感装置１０１を示し、主に振動部材１０２、座面支持部材１０４等の形状及び振動発生装置５の個数が異なる点で実施形態１と異なる。なお、以下の各実施形態では、図１〜図６Ｃと同じ部分については同じ符号を付してその詳細な説明は省略する。
【００４８】
本実施形態の振動部材１０２は、例えば矩形板状の座面部１０２ａと、この座面部１０２ａの対向する二辺に連続し、略９０°折り曲げられた側面部１０２ｂと有する。例えば、振動部材１０２として、一辺が６００ｍｍの正方形の側面部１０２ｂのものを使用する。なお、側面部１０２ｂは、上記実施形態１のように全周に連続するように設けてもよい。本実施形態の振動部材１０２は、例えば、酸化チタンの酸化膜による結晶加飾加工を施した純チタンの板部材が用いられる。この板部材を折り曲げて成形すればよいので、製造が容易な上、見映えが極めてよく、さらには光抗菌作用などの商品価値を向上させる効果も得られる。
【００４９】
本実施形態では、矩形状の座面部１０２ａの裏面に上記実施形態１と同様の方法で、例えば図１１に示すように、１つの振動発生装置５が座面部１０２ａの中央部に固定されている。例えば、座面部１０２ａに設けたキリ孔に皿ネジ８を挿通して裏面側に振動発生装置５がナット９等によって締結されている。なお、この振動発生装置５の個数やその固定位置、固定方法は特に限定されず、上記実施形態１と同様の固定方法を用いてもよい。
【００５０】
本実施形態の座面支持部材１０４は、振動部材１０２の形状に合わせた矩形板状のものよりなり、座面部１０２ａの外形と同じか若干大きい外形を有し、上記実施形態１と同様に振動発生装置５の位置に矩形状の収容凹部１０４ａが凹陥されている。例えば、側面部１０２ｂの高さが４０ｍｍ程度の場合、５０ｍｍ程度の座面支持部材１０４を使用し、この座面支持部材１０４は、人が座面部１０２ａに座ったときに側面部１０２ｂが載置面３に触れない程度の高さ及び硬さを有している。
【００５１】
本実施形態の骨振動体感装置１０１は、図１０に示すように、例えば３つ直線状に並べられてベッド状に配置することができるようになっている。
【００５２】
そして、図１２に示すように、それぞれの振動発生装置５に上記実施形態１と同様に増幅器１０から例えば特定低周波数を含む電気信号が送られるようになっている。
【００５３】
−骨振動体感装置の使用方法−
次に、本実施形態に係る骨振動体感装置１０１の使用方法について説明する。
【００５４】
まず、図１０に示すように、振動部材１０２の側面部１０２ｂが設けられていない部分同士が対向するように、３つの骨振動体感装置１０１を並べ、図１２に示すように各機器を接続して作動させ、それぞれに設けられた振動発生装置５に電気信号を送信する。電気信号の送信の方法は、上記実施形態１と同様である。
【００５５】
このように、複数の骨振動体感装置１０１を複数直線状に並べることで、それらの上に横たわることができる。それにより、人体全体から振動を伝えることができる。例えば、人間の皮膚の触圧を感知するメルケル細胞を通じて振動を伝えることもできる。これにより、よりリラックスした姿勢で振動の伝達を行える。
【００５６】
また、振動部材１０２の側面部１０２ｂが設けられていない部分が対向するように骨振動体感装置１０１を並べることで、隣り合う振動部材１０２が互いに接触することなく、それぞれの骨振動体感装置１０１から効果的に振動が人体に伝達される。
【００５７】
したがって、本実施形態に係る骨振動体感装置１０１においても、特定低周波数を人体にできるだけ正確に伝達することができる。
【００５８】
なお、本実施形態の骨振動体感装置１０１は、３つ並べるのではなく、間隔を空けて並べてそれぞれの座面部１０２ａに人が座るようにしてもよい。
【００５９】
（その他の実施形態）
本発明は、実施形態について、以下のような構成としてもよい。
【００６０】
すなわち、上記各実施形態では、座面支持部材４は、熱可塑性ポリエステル系エラストマーを繊維状にして複雑に組み合わせた三次元スプリング構造体よりなるクッション材で構成したが、これに限定されず、三次元スプリング構造体に補強材を一体に埋め込んだり、載置面側の密度を高くしたりしてもよい。また、ウレタンなど適度な硬さ及び弾性を有する別材料を使用し、載置面３に載置されたときに振動エネルギーを載置面３に伝達するのを抑制するように座面部２ａを載置面３から浮かせた状態に支持できるようにしてもよい。
【００６１】
なお、以上の実施形態は、本質的に好ましい例示であって、本発明、その適用物や用途の範囲を制限することを意図するものではない。
【符号の説明】
【００６２】
１      骨振動体感装置 
２      振動部材 
２ａ    座面部 
２ｂ    側面部 
２ｃ    切欠 
２ｄ    ゴム部材 
３      載置面 
４      座面支持部材 
４ａ    収容凹部 
５      振動発生装置 
５ａ    振動発生部 
６      ハーネス 
７      ベースプレート 
７ａ    キリ孔
８      皿ネジ 
９      ナット
１０      増幅器 
１１      電源 
１２      電気信号発生装置 
１０１      骨振動体感装置 
１０２      振動部材 
１０２ａ    座面部 
１０２ｂ    側面部 
１０４      座面支持部材 
１０４ａ    収容凹部
【手続補正２】
【補正対象書類名】特許請求の範囲
【補正対象項目名】全文
【補正方法】変更
【補正の内容】
【特許請求の範囲】
【請求項１】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体が接触する座面部及び該座面部に連続する側面部を有する金属製の振動部材と、
上記座面部の裏側に配置され、上記振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成されている
ことを特徴とする骨振動体感装置。
【請求項２】
請求項１に記載の骨振動体感装置において、
上記振動部材は、金属板で構成され、
上記座面支持部材は、クッション材で構成され、上記振動発生装置を収容する収容凹部が形成され、
上記クッション材は、上記振動部材の側面部によって側面の少なくとも一部が覆われると共に、上記載置面側の全周は、露出している
ことを特徴とする骨振動体感装置。
【請求項３】
請求項２に記載の骨振動体感装置において、
上記クッション材は、上記振動部材に上記側面の少なくとも一部が圧縮された状態で挿入されている
ことを特徴とする骨振動体感装置。
【請求項４】
請求項１から３のいずれか１つに記載の骨振動体感装置において、
上記電気信号発生装置から言語周波数をもとにした疎密波よりなる特定低周波数が発信されるように構成されている
ことを特徴とする骨振動体感装置。
【請求項５】
請求項１から４のいずれか１つに記載の骨振動体感装置において、
上記振動部材は、矩形状の座面部を有し、複数の上記骨振動体感装置を並べ、それぞれに設けられた上記骨振動体感装置に上記電気信号を送信するように構成されている
ことを特徴とする骨振動体感装置。
【請求項６】
請求項１から５のいずれか１つに記載の骨振動体感装置を使用する方法において、
上記座面部に座った状態で、尾てい骨から骨振動を全身に伝達させる
ことを特徴とする骨振動体感装置の使用方法。
【請求項７】
請求項１から５のいずれか１つに記載の骨振動体感装置を使用する方法において、
上記骨振動体感装置を作動させた状態で、該骨振動体感装置から所定距離離れた位置に載置した対象物を眺める
ことを特徴とする骨振動体感装置の使用方法。
【請求項８】
請求項４に記載の骨振動体感装置を使用する方法において、
上記増幅器において、上記電気信号発生装置より発信される特定低周波数と、他の電気信号発生装置より発信される電気信号とを組み合わせて増幅信号を発信する
ことを特徴とする骨振動体感装置の使用方法。
【手続補正書】
【提出日】令和1年7月29日(2019.7.29)
【手続補正１】
【補正対象書類名】明細書
【補正対象項目名】全文
【補正方法】変更
【補正の内容】
【発明の詳細な説明】
【技術分野】
【０００１】
本発明は、人体から振動を伝達させる骨振動体感装置及びそれを使用する方法に関する。
【背景技術】
【０００２】
従来より、電気音響信号を機械振動に変換する電気・機械振動変換器とスピーカとを有するスピーカシステムが知られている（例えば、特許文献１参照）。このスピーカシステムは、車室内の床に載置され、乗員が足を載せることで、特に重低音が骨伝導として聴感機能に達するようにしている。また、例えば、特許文献２のように、身体に当接させるバッグに、可聴域の音声を電気変換した音声信号に対しほぼ音声信号の波形に沿う振動を発生する電気・機械振動変換器を、この電気・機械振動変換器の振動面を身体に対向するバッグ表面に沿って内蔵すると共に、電気・機械振動変換器に音声信号の入力端を設け、バッグに身体にほぼ密着して装着するためのベルトを取付けた簡易装着型体感振動装置が知られている。これらは、いずれも可聴域の音声を体感できるようにしている。
【０００３】
また例えば、特許文献３のように、熱可塑性樹脂の中空連続線条のランダムなループ又はカールの隣接する中空線条相互を接触絡合集合してなる所定の嵩密度の空隙を備える三次元構造体であって、この三次元構造体の嵩密度の低い内層を介装して、長手方向表裏に、嵩密度の高い表面層を形成してなるスプリング構造樹脂本体と、このスプリング構造樹脂本体を人体の上半身の背面が当る背面領域を備える家具又は座席と、このスプリング構造樹脂本体に内蔵するか、又は裏面領域に取り付けられ、人体の上半身に向かって前記スプリング構造樹脂本体を介して音を供給し、少なくとも、高音用スピーカと、低音用スピーカと、を有する複数のスピーカとを備える骨伝導音響システムが知られている。この音響システムでは、こうしたスプリング構造樹脂本体の固い表面層に歪みのない音の波動を共振させ、スプリング構造樹脂本体そのものをスピーカの一部として一体的に作用させている。
【０００４】
また、特許文献４のように、上面にバッフル板を有するベッド本体と、バッフル板に設けられるサウンドホールと、バッフル板を挟んでサウンドホールの下側かつベッド本体の内側に設けられるスピーカとを備え、音響療法に必要な音波と振動波を確実に人体へ伝達し、治療効果を高めた音響療法用ベッドが知られている。
【０００５】
なお、特許文献５のように、約１６Ｈｚ〜１５０Ｈｚの範囲内の周波数帯域で主として音域Ｃ0 〜Ｄ3 に相当する体感振動信号の振動の強弱、長短、周波数、波形及び重なりを、音楽作曲上の規則に基づき時系列に組み合わせ、体感振動単独で音楽のように表現できるものを、体感振動として人体に伝える電気・機械振動変換器を備える体感振動装置が知られている。
【先行技術文献】
【特許文献】
【０００６】
【特許文献１】実開昭６１−１８９６８９号公報
【特許文献２】特開平７−２４５７９３号公報
【特許文献３】特開２００５−２２３６３０号公報
【特許文献４】特開２０１１−１６０８６９号公報
【特許文献５】特許第３３４１２３８号公報
【発明の概要】
【発明が解決しようとする課題】
【０００７】
上述したように、電気・機械振動変換器を利用した体感振動装置は、すでに広く知られている。特に本出願人による特許文献４の音響療法用ベッドは、ボーンコンダクション理論及び生体音響効果を利用したものであるが、特定の周波数を生体（人体）に伝える方法として、さらにその正確さを向上させたいというニーズがある。
【０００８】
本発明は、かかる点に鑑みてなされたものであり、その目的とするところは、特定の周波数を人体にできるだけ正確に伝達することにある。
【課題を解決するための手段】
【０００９】
上記の目的を達成するために、この発明では、人体が接触する金属製の振動部材を振動発生装置で振動させるようにした。
【００１０】
具体的には、第１の発明の骨振動体感装置は、電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が連結され、かつ人体が直接又は間接的に接触する座面部及び該座面部に連続する側面部を有する金属製の振動部材と、
上記座面部の裏側に配置され、少なくとも上側側面が上記側面部で覆われ、上記振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成されている。
【００１１】
上記の構成によると、振動エネルギーが載置面に伝達されるのを抑制するように座面支持部材により載置面から浮かせたフリーの状態で支持された金属製の振動部材の座面部を振動発生装置により振動させ、骨伝導により人体を直接振動させることで、後述する特定低周波数などの電気信号を中枢神経や脳に極めて正確に伝達することができる。なお、座面部には、人体が直接触れるのが望ましいが、座面部の上にクッションなどを挟んで人体が触れるようにしてもよい。当然ながら衣服等を介して座面部に人体が触れてもよい。
【００１２】
第２の発明では、
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体が接触する座面部及び該座面部に連続する側面部を有する金属製の振動部材と、
上記座面部の裏側に配置され、上記振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成され、
上記振動部材は、金属板で構成され、
上記座面支持部材は、クッション材で構成され、上記振動発生装置を収容する収容凹部が形成され、
上記クッション材は、上記振動部材の側面部によって側面の少なくとも一部が覆われると共に、上記載置面側の全周は、露出している。
【００１３】
上記の構成によると、上記第１の発明の作用効果に加え、振動部材の側面部によって座面支持部材の少なくとも一部を覆うことで、座面支持部材が振動部材から外れ難くなり、また、座面支持部材における載置面側の全周を露出させることにより、人が座面部に載ったときに振動部材の側面部が載置面に接触することがないので、振動発生装置からの振動にノイズ等が混じることなく、効果的に振動が人体に伝達される。
【００１４】
第３の発明では、第２の発明において、
上記クッション材は、上記振動部材に上記側面の少なくとも一部が圧縮された状態で挿入されている。
【００１５】
上記の構成によると、座面支持部材を接着等ではなく、圧縮した状態で振動部材に挿入することで、組付及び修理が容易となる。
【００１６】
第４の発明では、第１から第３のいずれか１つの発明において、
上記電気信号発生装置から言語周波数をもとにした疎密波よりなる特定低周波数が発信されるように構成されている。
【００１７】
ここで、「特定低周波数」の基本周波数は、例えば、６〜５０Ｈｚの疎密波よりなり、６Ｈｚ以上２００Ｈｚ以下の低周波数レンジのものである。この特定低周波数は、耳で聴くというよりも体で体感する振動により効果的に伝達される。
【００１８】
上記の構成によると、単なる物理的振動ではなく、上記特定低周波数を、皮膚振動や骨振動として、よりダイレクトに人体、すなわち脳に伝達させることができる。それにより、心身の健康や意識進化が達成される。
【００１９】
第５の発明では、第１から第４のいずれか１つの発明において、
上記振動部材は、矩形状の座面部を有し、複数の上記骨振動体感装置を並べ、それぞれに設けられた上記骨振動体感装置に上記電気信号を送信するように構成されている。
【００２０】
上記の構成によると、複数の骨振動体感装置を並べることで、それらの上に横たわることができる。それにより、人体全体から振動を伝えることができる。例えば、人間の皮膚の触圧を感知するＳＡＩ（メルケル細胞）を通じて振動を伝える。これにより、よりリラックスした姿勢で振動の伝達を行える。
【００２１】
第６の発明では、第１から第５のいずれか１つの発明の骨振動体感装置の使用方法において、
上記座面部に座った状態で、尾てい骨から骨振動を全身に伝達させる構成とする。
【００２２】
上記の構成によると、金属製の座面部から振動が正確かつ効果的に尾てい骨を介して骨振動が全身に伝達される。
【００２３】
第７の発明では、第１から第５のいずれか１つの発明の骨振動体感装置の使用方法において、
上記骨振動体感装置を作動させた状態で、該骨振動体感装置から所定距離離れた位置に載置した対象物を眺める構成とする。
【００２４】
上記の構成によると、骨振動体感装置から所定距離離れた位置に載置した対象物を眺めることにより、例えば、日本古来の瞑想を最新のデジタルテクノロジーによって進化させた、いわゆるデジタルメディテーションと呼ばれる瞑想を効果的に行うことができる。つまり、人の体、意識に最適な周波数をダイレクトに伝えることにより、より深いメディテーションの境地へと誘導される。
【００２５】
第８の発明では、第４の発明の骨振動体感装置の使用方法において、
上記増幅器において、上記電気信号発生装置より発信される特定低周波数と、他の電気信号発生装置より発信される電気信号とを組み合わせて増幅信号を発信する構成とする。
【００２６】
上記の構成によると、好みの音楽に特定低周波数を乗せることにより、特定低周波数の働きを高めることで、癒しの時間を楽しむことができる。
【００２７】
第９の発明では、第１から第５のいずれか１つの発明の骨振動体感装置の使用方法において、
六角形多孔式拡張性構造よりなるハニカムシリコンマットを上記座面部の上に載置し、該ハニカムシリコンマットを介して骨振動を全身に伝達させる構成とする。
【００２８】
上記の構成によると、ハニカムシリコンマットの振動が、皮膚にとっては連続して凸凹が入れ替わっている状態として感知され、連続した微細な周波数を皮膚に伝えることができる。
【発明の効果】
【００２９】
以上説明したように、本発明によれば、座面支持部材により載置面から浮かせたフリーの状態で支持された金属製の振動部材の座面部を振動発生装置により振動させ、骨伝導により人体を直接振動させることにより、特定低周波数を人体にできるだけ正確に伝達することができる。
【図面の簡単な説明】
【００３０】
【図１】本発明の実施形態１に係る骨振動体感装置を示す斜視図である。
【図２】本発明の実施形態１に係る骨振動体感装置を示す平面図である。
【図３】本発明の実施形態１に係る骨振動体感装置を示す側面図である。
【図４】本発明の実施形態１に係る骨振動体感装置を示す底面図である。
【図５】本発明の実施形態１に係る骨振動体感装置の全体構成を示す図である。
【図６Ａ】本発明の実施形態１に係る、クッション材を外した状態の骨振動体感装置を示す底面図である。
【図６Ｂ】実施形態１に係るクッション材を示す平面図である。
【図６Ｃ】図６ＡのVIC−VIC線拡大断面図である。
【図７】本発明の実施形態２に係る骨振動体感装置を示す斜視図である。
【図８】本発明の実施形態２に係る骨振動体感装置を示す側面図である。
【図９】本発明の実施形態２に係る骨振動体感装置を示す正面図である。
【図１０】本発明の実施形態２に係る骨振動体感装置を３つ並べた状態を示す平面図である。
【図１１】本発明の実施形態２に係る、クッション材を外した状態の骨振動体感装置を示す底面図である。
【図１２】本発明の実施形態２に係る骨振動体感装置の全体構成を示す図である。
【発明を実施するための形態】
【００３１】
以下、本発明の実施形態を図面に基づいて説明する。
【００３２】
（実施形態１）
−骨振動体感装置の構成−
図１〜図４は本発明の実施形態１の骨振動体感装置１を示し、この骨振動体感装置１は、人体が接触する円板状の座面部２ａと、この座面部２ａに連続する側面部２ｂを有する金属製の振動部材２を備えている。本実施形態では、座面部２ａは、例えば、直径６００ｍｍ、厚さ２ｍｍ程度のステンレス鋼板よりなるが、材質やその大きさは特に制限されない。側面部２ｂは、例えば厚さ２ｍｍ、高さ６０ｍｍ程度のステンレス鋼板よりなる。側面部２ｂは、溶接等により座面部２ａに固定してもよいし、座面部２ａに一体成型されていてもよい。このステンレス鋼板には、後述するハーネス６を避けるために例えば直径２０ｍｍ程度の半円状の切欠２ｃが設けられているが、これは必ずしも設けられていなくてもよい。また、側面部２ｂの載置面３側には、端部保護のために断面Ｕ字状のゴム部材２ｄが嵌められているが、これも必ずしもなくてもよい。振動部材２は、後述する実施形態２のように純チタンの薄板で構成されていてもよい。
【００３３】
図６Ａにも示すように、座面部２ａの裏面には、例えば、４つの振動発生装置５が固定されている。この振動発生装置５は、例えば、１６〜１５，０００Ｈｚの周波数帯域を再生可能な高性能バイブロトランスデューサよりなり、図６Ｃにも示すように、例えば、肉厚３ｍｍ程度の略矩形状のアルミ板よりなるベースプレート７に４つのキリ孔７ａを設け、このキリ孔７ａにそれぞれ皿ネジ８を挿入した状態で座面部２ａの裏面に接着剤等により固定している。なお、このベースプレート７の材質、厚さ、形状等は特に限定されず、このベースプレート７を使わずに、座面部２ａに直接キリ孔を空けて皿ネジ８とナット９とで振動発生装置５を固定してもよい。このように、振動発生装置５の振動発生部５ａが、座面部２ａの裏面に直接連結されている。この振動発生装置５は、増幅器１０に接続されるハーネス６を備えている。各振動発生装置５のハーネス６が束ねられ、切欠２ｃを通って増幅器１０に接続されている。
【００３４】
そして、座面部２ａの裏側には、振動発生装置５を覆うと共に、建物の床などの載置面３に載置されて座面部２ａを載置面３から浮かせた状態に支持する座面支持部材４が挿入されている。この座面支持部材４により、座面部２ａに触れた人体から振動が伝達されるようになっている。図６Ｂに示すように、座面支持部材４は、例えば、熱可塑性ポリエステル系エラストマーを繊維状にして複雑に組み合わせた三次元スプリング構造体よりなるクッション材で構成されており、座面部２ａ側には、振動発生装置５を収容する例えば十字状の収容凹部４ａが形成されている。図１及び図２に示すように、座面支持部材４は、振動部材２の側面部２ｂによって上側側面が覆われると共に、載置面３側の全周は、露出している。座面支持部材４は、振動部材２に側面の少なくとも一部が圧縮された状態で挿入されている。例えば、振動部材２の内径が５９６ｍｍの場合、座面支持部材４の外径をこれよりも若干大きくする（例えば外径６００ｍｍ）ことで、座面支持部材４が多少変形した状態で振動部材２の内面に嵌め込まれている。このため、座面支持部材４は、接着等により完全に固定されていないが、振動部材２から引っ張る等により力を加えない限り外れないようになっている。座面支持部材４は、三次元スプリング構造体から切削により外形及び収容凹部４ａを成形してもよいし、金型等を用いて一体成型してもよい。座面支持部材４の高さは、例えば８０ｍｍとし、人が座面部２ａに座ったときに側面部２ｂが載置面３に触れない程度の高さ及び硬さを有している。
【００３５】
図５に示すように、増幅器１０は、ＡＣ１００Ｖなどの電源１１と、電気信号を発生する電気信号発生装置１２とに接続され、電気信号発生装置１２からの電気信号を増幅させる役割を果たす。この増幅器１０から送信される電気信号が、振動発生装置５によって機械的な振動に変換されるようになっている。
【００３６】
本実施形態では、例えば、電気信号発生装置１２から例えば言語周波数をもとにした疎密波よりなる特定低周波数が発信されるように構成されている。ここで、「特定低周波数」の基本周波数は、世界中の言語を周波数化したものであり、例えば、６〜５０Ｈｚの疎密波よりなる。一例として、母音（ａ，ｉ，ｕ，ｅ，ｏ）と子音（Ｔ、Ｋ、Ｍ、Ｈ、Ｒ、Ｎ、Ｙ、Ｓ、Ｗ等）の組み合わせから言語の一音が発生することを利用し、周波数化する。母音の周波数の平均値は、地球の固有振動数であるシューマンウェーブの値である７．８３Ｈｚと近似している。そして、脳波とシューマンウェーブとは、共鳴関係にある。このようなことから、特定低周波数は、耳で聴くというよりも体で体感する振動によりさらに効果的に伝達されることがわかってきた。
【００３７】
本実施形態の骨振動体感装置１による振動は、例えば、周波数レンジが約６〜２００Ｈｚで連続パルスによる刺激となっている。なお、この特定低周波数は、およそ６Ｈｚ以上２００Ｈｚ以下の低周波数レンジのものであれば、上記言語周波数をもとにした疎密波に限定されない。
【００３８】
なお、この増幅器１０において、電気信号発生装置１２より発信される特定低周波数と、他のＣＤプレーヤーなどの電気信号発生装置１２より発信される電気信号とを組み合わせて増幅信号を発信するようにしてもよい。また、特定低周波数を含まない、好みのＣＤ等を利用して電気信号発生装置１２から電気信号を発信させるようにしてもよい。
【００３９】
−骨振動体感装置の使用方法−
次に、本実施形態に係る骨振動体感装置１の使用方法について説明する。
【００４０】
まず、上述した骨振動体感装置１を電源１１に繋ぎ、電気信号発生装置１２より、特定低周波数等の電気信号を発生させ、増幅器１０で増幅した電気信号を振動発生装置５に発信する。
【００４１】
その状態で、座面部２ａに座った状態で、尾てい骨から上記電気信号に対応した振動発生装置５による骨振動を全身に伝達させる。すると、金属製の座面部２ａから振動が正確かつ効果的に尾てい骨を介して骨振動が全身に伝達される。また、この刺激（振動）及びそこに含まれる情報がメルケル細胞を通して中枢神経に運ばれ、脳や意識に何らかの影響を与える。なお、特許文献４のようなハニカムシリコンマットを座面部２ａの上に載置してその上から座るようにしてもよい。そうすれば、ハニカムシリコンマットの振動が、皮膚にとっては連続して凸凹が入れ替わっている状態として感知され、連続した微細な周波数を皮膚に伝えることができる。
【００４２】
この骨振動体感装置１を作動させた状態で、例えば、骨振動体感装置１から所定距離離れた位置に載置した対象物を眺めた状態で瞑想してもよい。対象物としては、図示しないが、例えば、檜などの木材で構成した台に載置した黒曜石が適している。また、液晶画面に、この黒曜石に対応する画像を表示したスマートフォンなどでもよい。色の三原色では、同じ割合で三色を混ぜると黒になることから、黒曜石の黒とはすべてを包括する色であるのと同時に、すべての可能性を秘めた根源の色ということができる。この黒曜石に象徴されるゼロポイントを、すべてを生み出す創造の起点と捉えて瞑想を行う。例えば、左右の目で、空間全体と一体化した黒曜石を見ることで、黒曜石の情報が視交叉を経由して、各階層の視覚野で処理され、脳内で黒曜石の映像が統合される。このとき、メビウスの輪の流れにより、左右の脳が同調し、情報が循環することで、右脳と左脳が振動し、共鳴していくと考えられる。このように、黒曜石と意識を同調させることで、「すべての情報が畳み込まれている創造の起点」としてのゼロの概念と脳内の情報の同調に繋がり、その結果、様々なアイデアが浮かび、創造性が高まるという効果が得られる。このように、本実施形態の骨振動体感装置１によると、日本古来の瞑想を最新のデジタルテクノロジーによって進化させた、いわゆるデジタルメディテーションと呼ばれる瞑想を効果的に行うことができる。つまり、人の体や意識に最適な周波数をダイレクトに伝えることにより、より深いメディテーションの境地へと誘導される。例えば、複数の骨振動体感装置１を黒曜石を中心に円弧状に並べて複数人で同時にデジタルメディテーションを行えば、さらに効果的に瞑想を行うことができる。
【００４３】
上述したように、増幅器１０において、特定低周波数と、ＣＤプレーヤーやスマートフォンなどから発信される電気信号とを組み合わせて増幅信号を発信するようにしてもよい。こうすれば、好みの音楽に特定低周波数を乗せることにより、特定低周波数の働きを高めることで、癒しの時間を楽しむことができる。
【００４４】
本実施形態では、単なる物理的振動ではなく、特定低周波数を、皮膚振動や骨振動として、よりダイレクトに人体、すなわち脳に伝達させることができる。それにより、心身の健康や意識進化が達成される。座面部２ａが直接肌に触れることにより、特定低周波数による刺激（振動）並びに、そこに含まれる情報が、このメルケル細胞を通して中枢神経に運ばれ、脳や意識に何らかの影響を与えているという解釈が可能である。
【００４５】
以上説明したように、本実施形態では、振動部材２の側面部２ｂによって座面支持部材４の少なくとも一部を覆うことで、見映えがよくなると共に、座面支持部材４が振動部材２から外れ難くなっている。また、座面支持部材４における載置面３側の全周を露出させることにより、人が座面部２ａに載ったときに振動部材２の側面部２ｂが載置面３に接触するのが抑制されるので、振動発生装置５からの振動にノイズ等が入ることなく、効果的に人体に伝達される。
【００４６】
また、振動エネルギーが床などの載置面３に伝達されるのを抑制するように座面支持部材４により載置面３から浮かせたフリーの状態で支持された金属製の振動部材２の座面部２ａを振動発生装置５により振動させ、骨伝導等により人体を直接振動させることで、特定低周波数などの電気信号を中枢神経や脳に極めて正確に伝達することができる。
【００４７】
本実施形態では、座面支持部材４を接着等ではなく、圧縮した状態で振動部材２に挿入しているので、振動発生装置５の組付及び修理が容易となる。
【００４８】
したがって、本実施形態に係る骨振動体感装置１によると、座面支持部材４により載置面３から浮かせたフリーの状態で支持された金属製の振動部材２の座面部２ａを振動発生装置５により振動させ、骨伝導により人体を直接振動させることにより、特定低周波数を人体にできるだけ正確に伝達することができる。
【００４９】
（実施形態２）
−骨振動体感装置の構成−
図７〜図９は本発明の実施形態２に係る骨振動体感装置１０１を示し、主に振動部材１０２、座面支持部材１０４等の形状及び振動発生装置５の個数が異なる点で実施形態１と異なる。なお、以下の各実施形態では、図１〜図６Ｃと同じ部分については同じ符号を付してその詳細な説明は省略する。
【００５０】
本実施形態の振動部材１０２は、例えば矩形板状の座面部１０２ａと、この座面部１０２ａの対向する二辺に連続し、略９０°折り曲げられた側面部１０２ｂと有する。例えば、振動部材１０２として、一辺が６００ｍｍの正方形の座面部１０２ａのものを使用する。なお、側面部１０２ｂは、上記実施形態１のように全周に連続するように設けてもよい。本実施形態の振動部材１０２は、例えば、酸化チタンの酸化膜による結晶加飾加工を施した純チタンの板部材が用いられる。この板部材を折り曲げて成形すればよいので、製造が容易な上、見映えが極めてよく、さらには光抗菌作用などの商品価値を向上させる効果も得られる。
【００５１】
本実施形態では、矩形状の座面部１０２ａの裏面に上記実施形態１と同様の方法で、例えば図１１に示すように、１つの振動発生装置５が座面部１０２ａの中央部に固定されている。例えば、座面部１０２ａに設けたキリ孔に皿ネジ８を挿通して裏面側に振動発生装置５がナット９等によって締結されている。なお、この振動発生装置５の個数やその固定位置、固定方法は特に限定されず、上記実施形態１と同様の固定方法を用いてもよい。
【００５２】
本実施形態の座面支持部材１０４は、振動部材１０２の形状に合わせた矩形板状のものよりなり、座面部１０２ａの外形と同じか若干大きい外形を有し、上記実施形態１と同様に振動発生装置５の位置に矩形状の収容凹部１０４ａが凹陥されている。例えば、側面部１０２ｂの高さが４０ｍｍ程度の場合、５０ｍｍ程度の座面支持部材１０４を使用し、この座面支持部材１０４は、人が座面部１０２ａに座ったときに側面部１０２ｂが載置面３に触れない程度の高さ及び硬さを有している。
【００５３】
本実施形態の骨振動体感装置１０１は、図１０に示すように、例えば３つ直線状に並べられてベッド状に配置することができるようになっている。
【００５４】
そして、図１２に示すように、それぞれの振動発生装置５に上記実施形態１と同様に増幅器１０から例えば特定低周波数を含む電気信号が送られるようになっている。
【００５５】
−骨振動体感装置の使用方法−
次に、本実施形態に係る骨振動体感装置１０１の使用方法について説明する。
【００５６】
まず、図１０に示すように、振動部材１０２の側面部１０２ｂが設けられていない部分同士が対向するように、３つの骨振動体感装置１０１を並べ、図１２に示すように各機器を接続して作動させ、それぞれに設けられた振動発生装置５に電気信号を送信する。電気信号の送信の方法は、上記実施形態１と同様である。
【００５７】
このように、複数の骨振動体感装置１０１を複数直線状に並べることで、それらの上に横たわることができる。それにより、人体全体から振動を伝えることができる。例えば、人間の皮膚の触圧を感知するメルケル細胞を通じて振動を伝えることもできる。これにより、よりリラックスした姿勢で振動の伝達を行える。
【００５８】
また、振動部材１０２の側面部１０２ｂが設けられていない部分が対向するように骨振動体感装置１０１を並べることで、隣り合う振動部材１０２が互いに接触することなく、それぞれの骨振動体感装置１０１から効果的に振動が人体に伝達される。
【００５９】
したがって、本実施形態に係る骨振動体感装置１０１においても、特定低周波数を人体にできるだけ正確に伝達することができる。
【００６０】
なお、本実施形態の骨振動体感装置１０１は、３つ並べるのではなく、間隔を空けて並べてそれぞれの座面部１０２ａに人が座るようにしてもよい。
【００６１】
（その他の実施形態）
本発明は、実施形態について、以下のような構成としてもよい。
【００６２】
すなわち、上記各実施形態では、座面支持部材４，１０４は、熱可塑性ポリエステル系エラストマーを繊維状にして複雑に組み合わせた三次元スプリング構造体よりなるクッション材で構成したが、これに限定されず、三次元スプリング構造体に補強材を一体に埋め込んだり、載置面側の密度を高くしたりしてもよい。また、ウレタンなど適度な硬さ及び弾性を有する別材料を使用し、載置面３に載置されたときに振動エネルギーを載置面３に伝達するのを抑制するように座面部２ａ，１０２ａを載置面３から浮かせた状態に支持できるようにしてもよい。
【００６３】
なお、以上の実施形態は、本質的に好ましい例示であって、本発明、その適用物や用途の範囲を制限することを意図するものではない。
【符号の説明】
【００６４】
１      骨振動体感装置 
２      振動部材 
２ａ    座面部 
２ｂ    側面部 
２ｃ    切欠 
２ｄ    ゴム部材 
３      載置面 
４      座面支持部材 
４ａ    収容凹部 
５      振動発生装置 
５ａ    振動発生部 
６      ハーネス 
７      ベースプレート 
７ａ    キリ孔
８      皿ネジ 
９      ナット
１０      増幅器 
１１      電源 
１２      電気信号発生装置 
１０１      骨振動体感装置 
１０２      振動部材 
１０２ａ    座面部 
１０２ｂ    側面部 
１０４      座面支持部材 
１０４ａ    収容凹部
【手続補正２】
【補正対象書類名】特許請求の範囲
【補正対象項目名】全文
【補正方法】変更
【補正の内容】
【特許請求の範囲】
【請求項１】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が連結され、かつ人体が直接又は間接的に接触する座面部及び該座面部に連続する側面部を有する金属製の振動部材と、
上記座面部の裏側に配置され、少なくとも上側側面が上記側面部で覆われ、上記振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成されている
ことを特徴とする骨振動体感装置。
【請求項２】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体が接触する座面部及び該座面部に連続する側面部を有する金属製の振動部材と、
上記座面部の裏側に配置され、上記振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成され、
上記振動部材は、金属板で構成され、
上記座面支持部材は、クッション材で構成され、上記振動発生装置を収容する収容凹部が形成され、
上記クッション材は、上記振動部材の側面部によって側面の少なくとも一部が覆われると共に、上記載置面側の全周は、露出している
ことを特徴とする骨振動体感装置。
【請求項３】
請求項２に記載の骨振動体感装置において、
上記クッション材は、上記振動部材に上記側面の少なくとも一部が圧縮された状態で挿入されている
ことを特徴とする骨振動体感装置。
【請求項４】
請求項１から３のいずれか１つに記載の骨振動体感装置において、
上記電気信号発生装置から言語周波数をもとにした疎密波よりなる特定低周波数が発信されるように構成されている
ことを特徴とする骨振動体感装置。
【請求項５】
請求項１から４のいずれか１つに記載の骨振動体感装置において、
上記振動部材は、矩形状の座面部を有し、複数の上記骨振動体感装置を並べ、それぞれに設けられた上記骨振動体感装置に上記電気信号を送信するように構成されている
ことを特徴とする骨振動体感装置。
【請求項６】
請求項１から５のいずれか１つに記載の骨振動体感装置を使用する方法において、
上記座面部に座った状態で、尾てい骨から骨振動を全身に伝達させる
ことを特徴とする骨振動体感装置の使用方法。
【請求項７】
請求項１から５のいずれか１つに記載の骨振動体感装置を使用する方法において、
上記骨振動体感装置を作動させた状態で、該骨振動体感装置から所定距離離れた位置に載置した対象物を眺める
ことを特徴とする骨振動体感装置の使用方法。
【請求項８】
請求項４に記載の骨振動体感装置を使用する方法において、
上記増幅器において、上記電気信号発生装置より発信される特定低周波数と、他の電気信号発生装置より発信される電気信号とを組み合わせて増幅信号を発信する
ことを特徴とする骨振動体感装置の使用方法。
【請求項９】
請求項１から５のいずれか１つに記載の骨振動体感装置を使用する方法において、
六角形多孔式拡張性構造よりなるハニカムシリコンマットを上記座面部の上に載置し、該ハニカムシリコンマットを介して骨振動を全身に伝達させる
ことを特徴とする骨振動体感装置の使用方法。
【手続補正３】
【補正対象書類名】図面
【補正対象項目名】図５
【補正方法】変更
【補正の内容】
【図５】
2020043393.tif 000017
【手続補正４】
【補正対象書類名】図面
【補正対象項目名】図１２
【補正方法】変更
【補正の内容】
【図１２】
2020043393.tif 000018